(57)【要約】【課題】操作対象の情報端末の画面を常にオペレータの見やすい位置に表示する。【解決手段】本発明に係る切替用端末３は、ＰＣ１1〜１nの各々の画面データを受信する受信部３３と、ＰＣ１1〜１nのうち操作対象のＰＣの画面データの送信先として、ＣＲＴ２1〜２nのうち切替用端末３と最短距離にある特定のＣＲＴを割り当て、操作対象のＰＣ以外のＰＣの各々の画面データの送信先として、特定のＣＲＴ以外のＣＲＴのいずれかを割り当てる送信先割当部３４と、ＰＣ１1〜１nの各々の画面データを、そのＰＣに割り当てられたＣＲＴに送信する送信部３５とを有する。【選択図】図２
2007164677.tif 000002
【特許請求の範囲】
【請求項１】
複数の情報端末と、複数の表示装置と、前記複数の情報端末の各々の画面データを前記複数の情報端末のいずれかに送信する切替用端末とを有する画面表示システムにおいて、
前記切替用端末は、
前記複数の情報端末の各々の画面データを受信する受信部と、
前記切替用端末と前記複数の表示装置の各々との間の距離を管理する管理部と、
前記複数の情報端末のうち操作対象の情報端末の画面データの送信先として、前記複数の表示装置のうち前記切替用端末と最短距離にある特定の表示装置を割り当て、前記操作対象の情報端末以外の情報端末の各々の画面データの送信先として、前記特定の表示装置以外の表示装置のいずれかを割り当てる割当部と、
前記複数の情報端末の各々の画面データを、前記割当部により当該情報端末に割り当てられた表示装置に送信する送信部とを含む画面表示システム。
【請求項２】
請求項１に記載の画面表示システムにおいて、
前記割当部は、前記操作対象の情報端末以外の情報端末の各々について、前記切替用端末との距離が短い表示装置を割り当てる時の優先順位を算出し、前記操作対象の情報端末以外の情報端末の各々の画面データの送信先として、前記優先順位の高い順に前記切替用端末との距離が短い表示装置を割り当てる画面表示システム。
【請求項３】
請求項２に記載の画面表示システムにおいて、
前記割当部は、前記優先順位を算出するに際して、前記操作対象の情報端末以外の情報端末の各々の操作回数および操作時間をパラメータとして用いる画面表示システム。
【請求項４】
請求項２または３に記載の画面表示システムにおいて、
前記割当部は、前記優先順位を算出するに際して、前記操作対象の情報端末以外の情報端末の各々の画面更新回数をパラメータとして用いる画面表示システム。
【請求項５】
請求項２から４のいずれか１項に記載の画面表示システムにおいて、
前記割当部は、前記操作対象の情報端末が設定された時および前記操作対象の情報端末の設定が切り替えられた時に前記優先順位を算出することとし、前記優先順位を算出するに際して、前記操作対象の情報端末以外の情報端末の各々の前回の優先順位をパラメータとして用いる画面表示システム。
【請求項６】
複数の情報端末の各々の画面データを複数の情報端末のいずれかに送信する切替用端末において、
前記複数の情報端末の各々の画面データを受信する受信部と、
前記切替用端末と前記複数の表示装置の各々との間の距離を管理する管理部と、
前記複数の情報端末のうち操作対象の情報端末の画面データの送信先として、前記複数の表示装置のうち前記切替用端末と最短距離にある特定の表示装置を割り当て、前記操作対象の情報端末以外の情報端末の各々の画面データの送信先として、前記特定の表示装置以外の表示装置のいずれかを割り当てる割当部と、
前記複数の情報端末の各々の画面データを、前記割当部により当該情報端末に割り当てられた表示装置に送信する送信部とを含む切替用端末。
【請求項７】
請求項６に記載の切替用端末において、
前記割当部は、前記操作対象の情報端末以外の情報端末の各々について、前記切替用端末との距離が短い表示装置を割り当てる時の優先順位を算出し、前記操作対象の情報端末以外の情報端末の各々の画面データの送信先として、前記優先順位の高い順に前記切替用端末との距離が短い表示装置を割り当てる切替用端末。
【請求項８】
請求項７に記載の切替用端末において、
前記割当部は、前記優先順位を算出するに際して、前記操作対象の情報端末以外の情報端末の各々の操作回数および操作時間をパラメータとして用いる切替用端末。
【請求項９】
請求項７または８に記載の切替用端末において、
前記割当部は、前記優先順位を算出するに際して、前記操作対象の情報端末以外の情報端末の各々の画面更新回数をパラメータとして用いる切替用端末。
【請求項１０】
請求項７から９のいずれか１項に記載の切替用端末において、
前記割当部は、前記操作対象の情報端末が設定された時および前記操作対象の情報端末の設定が切り替えられた時に前記優先順位を算出することとし、前記優先順位を算出するに際して、前記操作対象の情報端末以外の情報端末の各々の前回の優先順位をパラメータとして用いる切替用端末。
【請求項１１】
複数の情報端末と、複数の表示装置と、前記複数の情報端末の各々の画面データを前記複数の情報端末のいずれかに送信する切替用端末とを有する画面表示システムによる画面表示方法において、
前記切替用端末が、前記複数の情報端末の各々の画面データを受信する受信ステップと、
前記切替用端末が、前記複数の表示装置の各々との間の距離を管理する管理ステップと、
前記切替用端末が、前記複数の情報端末のうち操作対象の情報端末の画面データの送信先として、前記複数の表示装置のうち前記切替用端末と最短距離にある特定の表示装置を割り当て、前記操作対象の情報端末以外の情報端末の各々の画面データの送信先として、前記特定の表示装置以外の表示装置のいずれかを割り当てる割当ステップと、
前記切替用端末が、前記複数の情報端末の各々の画面データを、当該情報端末に割り当てられた表示装置に送信する送信ステップとを含む画面表示方法。
【請求項１２】
請求項１１に記載の画面表示方法において、
前記割当ステップでは、前記操作対象の情報端末以外の情報端末の各々について、前記切替用端末との距離が短い表示装置を割り当てる時の優先順位を算出し、前記操作対象の情報端末以外の情報端末の各々の画面データの送信先として、前記優先順位の高い順に前記切替用端末との距離が短い表示装置を割り当てる画面表示方法。
【請求項１３】
請求項１２に記載の画面表示方法において、
前記割当ステップでは、前記優先順位を算出するに際して、前記操作対象の情報端末以外の情報端末の各々の操作回数および操作時間をパラメータとして用いる画面表示方法。
【請求項１４】
請求項１２または１３に記載の画面表示方法において、
前記割当ステップでは、前記優先順位を算出するに際して、前記操作対象の情報端末以外の情報端末の各々の画面更新回数をパラメータとして用いる画面表示方法。
【請求項１５】
請求項１２から１４のいずれか１項に記載の画面表示方法において、
前記割当ステップでは、前記操作対象の情報端末が設定された時および前記操作対象の情報端末の設定が切り替えられた時に前記優先順位を算出することとし、前記優先順位を算出するに際して、前記操作対象の情報端末以外の情報端末の各々の前回の優先順位をパラメータとして用いる画面表示方法。
【発明の詳細な説明】
【技術分野】
【０００１】
本発明は、複数の情報端末の各々の画面を複数の表示装置のいずれかに表示するための画面表示システム、切替用端末、および画面表示方法に関する。
【背景技術】
【０００２】
近年、１人のオペレータが、無線または有線のローカルエリアネットワーク（以下、ＬＡＮと称す）を利用して、複数の情報端末（例えば、パーソナルコンピュータ。以下、ＰＣと称す）および複数の表示装置（例えば、ＣＲＴディスプレイ。以下、ＣＲＴと称す）を使用する場合がある（例えば、特許文献１参照）。ここで、複数のＰＣの各々の画面を複数のＣＲＴのいずれかに表示する画面表示システムの従来構成を図１０に示す。
【０００３】
図１０に示すように、従来の画面表示システムは、ｎ台のＰＣ１０1〜１０n、ｎ台のＣＲＴ２０1〜２０n、および切替器３０から構成されている。ＰＣ１０1〜１０nには、ＣＲＴ２０1〜２０nが１対１で接続されており、また、ＬＡＮ６０を介して切替器３０が接続されている。また、切替器３０には、キーボード４０およびマウス５０が接続されており、ＰＣ１０1〜１０nでキーボード４０およびマウス５０を共有している。
【０００４】
上記のように構成された従来の画面表示システムにおいては、オペレータが操作対象のＰＣに対する操作情報をキーボード４０またはマウス５０から入力すると、その操作情報の送信先は、切替器３０によって操作対象のＰＣに切り替えられる。ＰＣ１０1〜１０nの各々には、１対１で接続されているＣＲＴ２０1〜２０nが一意に割り当てられており、操作対象のＰＣの画面は、そのＰＣに一意に割り当てられているＣＲＴに表示される。
【特許文献１】特開２００５−０７８４７０号公報
【発明の開示】
【発明が解決しようとする課題】
【０００５】
上述したように、図１０に示した従来の画面表示システムにおいては、ＰＣに対してＣＲＴが一意に割り当てられているため、操作対象のＰＣを切り替えると、必然的にそのＰＣの画面を表示するＣＲＴも切り替わる。
【０００６】
そのため、オペレータは、操作対象のＰＣを切り替えるたびに、そのＰＣの画面を表示するＣＲＴの方向に向きを変えるなどの場所の移動を行う必要があった。
【０００７】
また、オペレータは、場所を移動すると、操作はしなくとも画面を監視したい重要度の高いＰＣがある場合に、必ずしもそのＰＣの画面を監視しやすい状態にはならなかった。
【０００８】
そこで、本発明の目的は、操作対象の情報端末の画面を常にオペレータの見やすい位置に表示することができる画面表示システム、切替用端末、および画面表示方法を提供することにある。
【０００９】
また、本発明の他の目的は、操作対象の情報端末以外で重要度の高い情報端末がある場合に、その情報端末の画面もオペレータの見やすい位置に表示することができる画面表示システム、切替用端末、および画面表示方法を提供することにある。
【課題を解決するための手段】
【００１０】
上記目的を達成するために本発明は、
複数の情報端末と、複数の表示装置と、前記複数の情報端末の各々の画面データを前記複数の情報端末のいずれかに送信する切替用端末とを有する画面表示システムにおいて、
前記切替用端末は、
前記複数の情報端末の各々の画面データを受信する受信部と、
前記切替用端末と前記複数の表示装置の各々との間の距離を管理する管理部と、
前記複数の情報端末のうち操作対象の情報端末の画面データの送信先として、前記複数の表示装置のうち前記切替用端末と最短距離にある特定の表示装置を割り当て、前記操作対象の情報端末以外の情報端末の各々の画面データの送信先として、前記特定の表示装置以外の表示装置のいずれかを割り当てる割当部と、
前記複数の情報端末の各々の画面データを、前記割当部により当該情報端末に割り当てられた表示装置に送信する送信部とを含むことを特徴とする。
【００１１】
この構成によれば、オペレータが操作する操作対象の情報端末の画面は、切替用端末から最短距離にある特定の表示装置に表示されることになるため、操作対象の情報端末の画面を常にオペレータの見やすい位置に表示することができる。
【００１２】
また、前記割当部は、前記操作対象の情報端末以外の情報端末の各々について、前記切替用端末との距離が短い表示装置を割り当てる時の優先順位を算出し、前記操作対象の情報端末以外の情報端末の各々の画面データの送信先として、前記優先順位の高い順に前記切替用端末との距離が短い表示装置を割り当てることとしても良い。
【００１３】
この構成によれば、操作対象の情報端末以外に、オペレータが切替用端末の近くに優先して表示したいと考えている重要度の高い情報端末がある場合に、その情報端末の画面も切替用端末からの距離が短い表示装置に表示されることになるため、重要度の高い情報端末の画面もオペレータの見やすい位置に表示することができる。
【００１４】
例えば、前記割当部は、前記優先順位を算出するに際して、前記操作対象の情報端末以外の情報端末の各々の操作回数および操作時間をパラメータとして用いることとしても良い。この場合は、操作頻度の高い情報端末を重要度の高い情報端末とし、その情報端末の画面をオペレータの見やすい位置に表示することができる。
【００１５】
また、前記割当部は、前記優先順位を算出するに際して、前記操作対象の情報端末以外の情報端末の各々の画面更新回数をパラメータとして用いることとしても良い。この場合は、画面更新頻度の高い情報端末を重要度の高い情報端末とし、その情報端末の画面をオペレータの見やすい位置に表示することができる。
【００１６】
また、前記割当部は、前記操作対象の情報端末が設定された時および前記操作対象の情報端末の設定が切り替えられた時に前記優先順位を算出することとし、前記優先順位を算出するに際して、前記操作対象の情報端末以外の情報端末の各々の前回の優先順位をパラメータとして用いることとしても良い。この場合は、前回も優先順位が高かった情報端末を重要度の高い情報端末とし、その情報端末の画面をオペレータの見やすい位置に引き続き表示することができる。
【発明の効果】
【００１７】
上記のように構成された本発明においては、切替用端末が、操作対象の情報端末の画面データの送信先として、切替用端末と最短距離にある特定の表示装置を割り当て、操作対象の情報端末の画面データを特定の表示装置に送信している。
【００１８】
したがって、オペレータが操作する操作対象の情報端末の画面は、切替用端末から最短距離にある特定の表示装置に表示されることになるため、操作対象の情報端末の画面を常にオペレータの見やすい位置に表示することができるという効果が得られる。
【発明を実施するための最良の形態】
【００１９】
以下に、本発明を実施するための最良の形態について図面を参照して説明する。
【００２０】
図１に示すように、本発明の一実施形態による画面表示システムは、ｎ台のＰＣ１1〜１n、ｎ台のＣＲＴ２1〜２n、および切替用端末３から構成されている。ＰＣ１1〜１n、ＣＲＴ２1〜２n、および切替用端末３は、ＬＡＮ６を介して互いに接続されている。また、切替用端末３には、キーボード４およびマウス５が接続されており、ＰＣ１1〜１nでキーボード４およびマウス５を共有している。
【００２１】
ＰＣ１1〜１nは、表示する画面をデータ化し、データ化された画面データをＬＡＮ６上に送信する。
【００２２】
ＣＲＴ２1〜２nは、ＬＡＮ６上から受信した画面データを画面に表示する。なお、ＣＲＴ２1〜２nは、その画面が切替用端末３の位置から見えるように設置されているものとする。また、ＣＲＴ２1〜２nの画面は、切替用端末３との距離が短いほど、見やすくなるものとする。
【００２３】
切替用端末３は、図１０に示した従来の切替器３０と同様に、オペレータによりキーボード４またはマウス５から入力された操作情報を操作対象のＰＣに送信する他、ＰＣ１1〜１nの各々の画面データの送信先としてＣＲＴ２1〜２nのいずれかを割り当て、ＰＣ１1〜１nの各々の画面データをそのＰＣに割り当てられたＣＲＴに送信することも行う。
【００２４】
ここで、切替用端末３の構成について、図２を参照して説明する。なお、図２では、ＬＡＮ６上に３台のＰＣ１1〜１3および３台のＣＲＴ２1〜２3が設けられていることを想定している。
【００２５】
図２に示すように、切替用端末３は、操作入出力制御部３１、システム管理部３２、受信部３３、送信先割当部３４、および送信部３５から構成されている。
【００２６】
操作入出力制御部３１は、オペレータによりキーボード４またはマウス５から入力された操作情報を、ＬＡＮ６を介して操作対象のＰＣ（図２では、ＰＣ１1とする）へ送信する。
【００２７】
システム管理部３２は、切替用端末３とＣＲＴ２1〜２3の各々との間の距離を取得し、不図示の内部のメモリに登録し管理する。また、ＣＲＴ２1〜２3のうち切替用端末３と最短距離にあるＣＲＴ（図２では、ＣＲＴ２3とする）を通常使用するＣＲＴと特定し、内部のメモリに登録し管理する。さらに、ＰＣ１1〜１3、ＣＲＴ２1〜２3、および切替用端末３の各々のＩＰアドレスの情報を内部のメモリに登録し管理する。
【００２８】
受信部３３は、ＰＣ１1〜１3からＬＡＮ６を介して画面データを受信する。その他、受信部３３は、ＰＣ１1〜１3およびＣＲＴ２1〜２3から各々のＩＰアドレスの情報を受信することなども行うが、詳細は後述する。
【００２９】
送信先割当部３４は、操作対象のＰＣ１1の画面データの送信先として、通常使用するＣＲＴ２3を割り当てる。さらに、操作対象のＰＣ１1以外のＰＣ１2，１3の画面データの送信先として、残りのＣＲＴ２1，２2のいずれかを割り当てる。その際、ＰＣ１2，１3の各々について、切替用端末３との距離が短いＣＲＴを割り当てる時の優先順位を算出し、優先順位が高い方のＰＣに切替用端末３との距離が短いＣＲＴを割り当てる。例えば、図２において、ＰＣ１2よりもＰＣ１3の方が優先順位が高く、ＣＲＴ２1よりもＣＲＴ２2の方が切替用端末３との距離が短いとすると、優先順位が高い方のＰＣ１3に切替用端末３との距離が短いＣＲＴ２2を割り当て、残りのＰＣ１2に残りのＣＲＴ２1を割り当てる。
【００３０】
送信部３５は、ＰＣ１1，１2，１3の各々の画面データを、送信先割当部３４により割り当てられたＣＲＴ２3，２2，２1に対してＬＡＮ６を介して送信する。その他、送信部３５は、ＬＡＮ６上のＰＣ１1〜１3およびＣＲＴ２1〜２3を検索するために、ＬＡＮ６上に検索用データを送信することなども行うが、詳細は後述する。
【００３１】
以下、図１および図２に示した画面表示システムの動作について説明する。
【００３２】
まず、オペレータが操作対象としてＰＣ１1を設定する動作について、図３のフローチャートを参照して説明する。なお、図３では、ＬＡＮ６上に５台のＰＣ１1〜１5および５台のＣＲＴ２1〜２5が設けられていることを想定している。
【００３３】
図３に示すように、まず、切替用端末３のシステム管理部３２は、切替用端末３の起動時および起動後の定期的なタイミングで、切替用端末３とＣＲＴ２1〜２5との間の距離を取得し、切替用端末３と最短距離にあるＣＲＴを通常使用するＣＲＴと特定する（ステップ２０１）。ここで特定されたＣＲＴは、不図示の内部のメモリに登録されて管理される。なお、ＣＲＴ２1〜２5との間の距離を取得する方法としては、不図示の距離測定手段にて無線により距離を測定する方法（例えば、ＣＲＴ２1〜２5からの電波強度に応じて距離を測定する方法）や、オペレータによりキーボード４またはマウス５から手動で入力されたレイアウト情報から距離を算出する方法などを用いることができる。
【００３４】
例えば、切替用端末３のシステム管理部３２は、切替用端末３およびＣＲＴ２1〜２5が図４Ａのようなレイアウトである場合、最短距離にあるＣＲＴ２3を通常使用するＣＲＴと特定し、図４Ｂのようなレイアウトである場合、最短距離にあるＣＲＴ２1を通常使用するＣＲＴと特定する。以下では、図４Ａのようなレイアウトとなっており、ＣＲＴ２3を通常使用するＣＲＴと特定したものとして説明する。
【００３５】
次に、切替用端末３の送信部３５は、ＬＡＮ６上のＰＣ１1〜１5およびＣＲＴ２1〜２5を検索するために、ＬＡＮ６上に検索用データを送信する（ステップ２０２）。
【００３６】
次に、ＰＣ１1〜１5およびＣＲＴ２1〜２5は、切替用端末３からの検索用データに対する応答として、自己のＩＰアドレスの情報をＬＡＮ６を介して切替用端末３に対して送信する（ステップ１０１，３０１）。
【００３７】
次に、切替用端末３の受信部３は、ＰＣ１1〜１5およびＣＲＴ２1〜２5から各々のＩＰアドレスの情報を受信する（ステップ２０３）。これにより、切替用端末３では、ＬＡＮ６上にあるＰＣ１1〜１5およびＣＲＴ２1〜２5を検索することができる。なお、ＰＣ１1〜１5およびＣＲＴ２1〜２5のＩＰアドレスの情報は、システム管理部３２の内部のメモリに登録されて管理される。
【００３８】
次に、ＰＣ１1〜１5は、ＬＡＮ６を介して切替用端末３に対し、画面データの送信を開始し（ステップ１０２）、切替用端末３の受信部３３は、ＰＣ１1〜１5の各々の画面データの受信を開始する（ステップ２０４）。
【００３９】
次に、切替用端末３の送信部３５は、ＰＣ１1〜１5のうち任意のＰＣ（図３では、ＰＣ１2とする）に対し、ＬＡＮ６を介して、ＬＡＮ６上にあるＰＣ１1〜１5のＩＰアドレスの情報を送信し、また、切替用端末３の操作入出力制御部３１は、ＬＡＮ６を介してＰＣ１2に対し、キーボード４またはマウス５から入力された操作情報の送信を開始する（ステップ２０５）。
【００４０】
次に、ＰＣ１2は、ＬＡＮ６上のＰＣ１1〜１5の中から操作対象に設定するＰＣをオペレータに選択させるための図５のような選択画面を表示するとともに、その選択画面の画面データをＬＡＮ６を介して切替用端末３に対して送信する（ステップ１０３）。
【００４１】
この時点では、切替用端末３の送信先割当部３４は、ＰＣ１2の画面データの送信先として通常使用するＣＲＴ２3を割り当てるが、ＰＣ１2以外のＰＣについては割り当てを行わない。したがって、切替用端末３の送信部３５は、ＰＣ１2に割り当てられたＣＲＴ２3のみに対し、ＬＡＮ６を介して、ＰＣ１2の画面データの送信を開始する（ステップ２０６）。
【００４２】
以降、ＣＲＴ２1〜２5は、切替用端末３から受信した画面データを画面に表示する（ステップ３０２）。なお、この時点では、切替用端末３からＣＲＴ２3のみに対して画面データが送信されているため、ＣＲＴ２3のみがＰＣ１2の画面データを画面に表示することになる。
【００４３】
ここで、オペレータが、ＰＣ１2を操作して、選択画面からＰＣ１1を操作対象として設定することを選択する（ステップ１０４）。
【００４４】
すると、切替用端末３の送信部３５は、ＰＣ１2の画面データのＣＲＴ２3への送信を停止する（ステップ２０７）。また、切替用端末３の操作入出力制御部３１は、キーボード４またはマウス５から入力された操作情報のＰＣ１2への送信を停止し、その一方で、オペレータに選択されたＰＣ１1に対する操作情報の送信を、ＬＡＮ６を介して開始する（ステップ２０８）。
【００４５】
また、切替用端末３の送信先割当部３４は、オペレータに選択されたＰＣ１1に対して通常使用するＣＲＴ２3を割り当て、切替用端末３の送信部３５は、ＬＡＮ６を介してＣＲＴ２3に対し、ＰＣ１1の画面データの送信を開始する（ステップ２０９）。
【００４６】
以降、ＰＣ１1以外のＰＣの画面データの送信先として、ＣＲＴ２3以外のＣＲＴのいずれかを割り当て、ＰＣ１1以外のＰＣの各々の画面データをそのＰＣに割り当てられたＣＲＴに送信する。その際には、ＰＣ１1以外のＰＣについて、切替用端末３との距離が短いＣＲＴを割り当てる時の優先順位を算出し、ＰＣ１1以外のＰＣの画面データの送信先として、優先順位の高い順に切替用端末３との距離が短いＣＲＴを割り当てる。
【００４７】
例えば、ＰＣの操作回数が多く操作時間も長い場合は、そのＰＣの使用頻度が高いと考えられる。このように使用頻度が高いＰＣの画面は、オペレータが近くに表示したい画面であると推定される。また、カメラなどで撮影された映像の監視を主な用途とするＰＣは、直接操作されないが、画面更新回数が多く、オペレータが画面を参照する機会が多いと推定される。よって、画面更新回数が多いＰＣの画面は、オペレータが近くに表示したい画面であると推定される。また、優先順位の算出は、操作対象とするＰＣの設定時およびその設定の切替時等に行われるが、前回の優先順位が高いために近くに表示されていたＰＣの画面は、オペレータが引き続き近くに表示したい画面であると推定される。
【００４８】
そのため、ＰＣの優先順位の算出に際し、ＰＣの操作回数、操作時間、画面更新回数、前回の優先順位などをパラメータとして用いると、オペレータが近くに表示したい画面であると推定されるＰＣについては優先順位が高くなると考えられる。
【００４９】
そこで、切替用端末３の送信先割当部３４は、ＰＣ１1以外のＰＣの各々の操作回数、操作時間、画面更新回数、前回の優先順位などをパラメータとして用いて、ＰＣ１1以外のＰＣの各々の優先順位を算出する（ステップ２１０）。なお、各ＰＣの操作回数、操作時間、画面更新回数などのパラメータを取得する方法としては、各ＰＣから、優先順位を算出するタイミングや定期的なタイミングで、これらパラメータの情報を送信してもらう方法や、不図示の監視手段にて各ＰＣを監視することで取得する方法などを用いることができる。また、優先順位の算出に際しては、例えば、図６に示すように、上述のパラメータを入力とするニューラルネットワークなどを用いることができる。なお、図６は、ＰＣ１2〜１nの優先順位を算出する場合の例を示している。
【００５０】
さらに、切替用端末３の送信先割当部３４は、ステップ２１０で算出されたＰＣ１1以外のＰＣの各々の優先順位と、ステップ２０１で取得されたＣＲＴ２3以外のＣＲＴの各々との間の距離とに基づいて、ＰＣ１1以外のＰＣの各々の画面データの送信先として、優先順位の高い順に切替用端末３との距離が短いＣＲＴを割り当てる（ステップ２１１）。なお、ここで割り当てられたＣＲＴが不適切だった場合、オペレータはキーボード４またはマウス５から手動で優先順位を変更することができる。オペレータによって変更された優先順位を、次回の優先順位の算出時にパラメータとして用いれば、次回の優先順位においてオペレータの意思を反映させることができる。
【００５１】
その後、切替用端末３の送信部３５は、ＰＣ１1以外のＰＣの各々の画面データを、送信先割当部３４により割り当てられたＣＲＴ２3以外のＣＲＴのいずれかに対してＬＡＮ６を介して送信する（ステップ２１２）。
【００５２】
次に、操作対象とするＰＣの設定を、ＰＣ１1からＰＣ１3に切り替える場合、すなわち、通常使用するＣＲＴ２3に表示するＰＣの画面を、ＰＣ１1（図７Ａ参照）からＰＣ１3（図７Ｂ参照）に切り替える場合の動作について、図８のフローチャートを参照して説明する。なお、図８は、図７に引き続いて行われる動作を示しているが、ＣＲＴ２1〜２5の動作については、切替用端末３からの画面データを画面に表示する動作（図７のステップ３０２）が引き続き行われるため、図８からは省略されている。
【００５３】
図８に示すように、まず、オペレータが、現在の操作対象であるＰＣ１1を操作して、ＬＡＮ６を介して切替用端末３に対し、操作対象のＰＣの設定を切り替えることを指示する（ステップ１２１）。
【００５４】
次に、切替用端末３の送信部３５は、ＬＡＮ６を介してＰＣ１1に対し、ＬＡＮ６上にあるＰＣ１1〜１5のＩＰアドレスの情報を送信する（ステップ２２１）。
【００５５】
次に、ＰＣ１1は、ＬＡＮ６上のＰＣ１1〜１5の中から操作対象に設定するＰＣをオペレータに選択させるための選択画面（図５参照）を表示するとともに、その選択画面の画面データをＬＡＮ６を介して切替用端末３に対して送信する（ステップ１２２）。
【００５６】
この時点で、ＰＣ１1の画面データの送信先として通常使用するＣＲＴ２3が割り当てられているため、ＰＣ１1が表示する選択画面はＣＲＴ２3に表示される。
【００５７】
ここで、オペレータが、ＰＣ１1を操作して、選択画面から次にＰＣ１3を操作対象として設定することを選択する（ステップ１２３）。
【００５８】
すると、切替用端末３の送信部３５は、ＰＣ１1の画面データのＣＲＴ２3への送信を停止する（ステップ２２２）。また、切替用端末３の操作入出力制御部３１は、キーボード４またはマウス５から入力された操作情報のＰＣ１1への送信を停止し、その一方で、オペレータに選択されたＰＣ１2に対する操作情報の送信を、ＬＡＮ６を介して開始する（ステップ２２３）。
【００５９】
また、切替用端末３の送信先割当部３４は、オペレータに選択されたＰＣ１3の画面データの送信先として通常使用するＣＲＴ２3を割り当て、切替用端末３の送信部３５は、ＰＣ１3に割り当てられたＣＲＴ２3に対し、ＬＡＮ６を介して、ＰＣ１3の画面データの送信を開始する（ステップ２２４）。
【００６０】
さらに、切替用端末３の送信先割当部３４は、ＰＣ１3以外のＰＣの各々の操作回数、操作時間、画面更新回数、前回の優先順位などをパラメータとして用いて、ＰＣ１3以外のＰＣの各々の優先順位を算出する（ステップ２２５）。
【００６１】
さらにまた、切替用端末３の送信先割当部３４は、ステップ２２５で算出されたＰＣ１3以外のＰＣの優先順位と、図３のステップ２０１で取得されたＣＲＴ２3以外のＣＲＴの各々との間の距離とに基づいて、ＰＣ１3以外のＰＣの各々の画面データの送信先として、優先順位の高い順に切替用端末３との距離が短いＣＲＴを割り当てる（ステップ２２６）。
【００６２】
その後、切替用端末３の送信部３５は、ＰＣ１3以外のＰＣの画面データの各々を、送信先割当部３４に割り当てられたＣＲＴ２3以外のＣＲＴのいずれかに対してＬＡＮ６を介して送信する（ステップ２２７）。
【００６３】
上述したように本実施形態においては、切替用端末３が、操作対象のＰＣの画面データの送信先として、切替用端末３と最短距離にあるＣＲＴを割り当て、操作対象のＰＣの画面データを最短距離にあるＣＲＴに送信している。
【００６４】
それにより、オペレータが操作している操作対象のＰＣの画面は、切替用端末３から最短距離にあるＣＲＴに表示されることになるため、オペレータが場所を移動したり、ケーブルの繋ぎかえを行ったりすることなく、操作対象のＰＣの画面を常にオペレータの見やすい位置に表示することができる。
【００６５】
また、本実施形態においては、切替用端末３が、操作対象のＰＣ以外のＰＣの各々のついて、各ＰＣの操作回数、操作時間、画面更新回数、前回の優先順位などをパラメータとして用いて優先順位を算出し、操作対象のＰＣ以外のＰＣの各々の画面データの送信先として、優先順位が高い順に切替用端末３との距離が短いＣＲＴを割り当てている。
【００６６】
それにより、操作回数が多く操作時間も長いＰＣ、画面更新回数が多いＰＣ、前回の優先順位の高いＰＣなどの重要度の高いＰＣの画面についても、切替用端末３からの距離が短いＣＲＴに表示されることになるため、重要度の高いＰＣの画面もオペレータの見やすい位置に表示することができる。
【００６７】
なお、本実施形態においては、操作対象のＰＣ以外のＰＣの各々の優先順位を算出するに際して、操作回数、操作時間、画面更新回数、前回の優先順位などをパラメータとして用いているが、必ずしもこれらすべてのパラメータを用いる必要はない。例えば、オペレータが使用頻度の高いＰＣのみを重要度が高いと認識している場合は、操作回数および操作時間のみをパラメータとして用いることができ、画面更新回数の多いＰＣのみを重要度が高いと認識している場合は、画面更新回数のみをパラメータとして用いることができる。また、オペレータが手動で優先順位を変更することを前提とする場合は、前回の優先順位のみをパラメータとして用いることができる。
【００６８】
また、本実施形態においては、ＰＣ１1〜１nの各々の画面をＣＲＴ２1〜２nのいずれか１台に表示する場合の例について説明したが、ＰＣ１1〜１nの各々の画面をＣＲＴ２1〜２nの２台以上に跨って表示する場合にも対応することができる。例えば、図９に示すように、ＰＣ１1〜１nのうちいずれかのＰＣ（図９では、ＰＣ１1とする）の画面を２台に跨って表示する場合を考える。この場合、ＣＲＴ２3とこれに隣り合うＣＲＴ２4をＰＣ１1専用のＣＲＴとし、ＰＣ１1がプライマリ画面とセカンダリ画面との２画面構成であるときは、ＣＲＴ２3にはプライマリ画面を表示し、ＣＲＴ２4にはセカンダリ画面を表示する。一方、ＰＣ１1が２画面構成でないときは、プライマリ画面のみをＣＲＴ２3に表示し、セカンダリ画面は表示しない。
【００６９】
また、本実施形態においては、ＰＣ１1〜１nの数とＣＲＴ２1〜２nの数が同じである場合の例について説明したが、ＰＣの数よりもＣＲＴの数が少ない場合や、セカンダリ画面を表示しているためにＣＲＴの数が少なくなった場合には、優先順位の低いＰＣの画面については表示しないようにすれば良い。
【図面の簡単な説明】
【００７０】
【図１】本発明の一実施形態による画面表示システムの構成を示す図である。
【図２】図１に示した切替用端末の一構成例を説明する図である。
【図３】図１に示した画面表示システムにおいて、操作対象とするＰＣを設定する動作を説明するフローチャートである。
【図４Ａ】図１に示したＣＲＴのレイアウトの一例を示す図である。
【図４Ｂ】図１に示したＣＲＴのレイアウトの他の例を示す図である。
【図５】図１に示したＰＣが表示する選択画面の一例を示す図である。
【図６】図１に示した切替用端末によるニューラルネットワークを用いた優先順位の算出方法を説明する図である。
【図７Ａ】図１に示した画面表示システムにおいて、操作対象とするＰＣの設定を切り替える前の状態を説明する図である。
【図７Ｂ】図１に示した画面表示システムにおいて、操作対象とするＰＣの設定を切り替えた後の状態を説明する図である。
【図８】図１に示した画面表示システムにおいて、操作対象とするＰＣの設定を切り替える動作を説明するフローチャートである。
【図９】図１に示した画面表示システムにおいて、ＰＣの画面を２つのＣＲＴに跨って表示する状態を説明する図である。
【図１０】従来の画面表示システムの構成を示す図である。
【符号の説明】
【００７１】
１1〜１n    ＰＣ
２1〜２n    ＣＲＴ
３    切替用端末
４    キーボード
５    マウス
６    ＬＡＮ
３１    操作入出力制御部
３２    システム管理部
３３    受信部
３４    送信先割当部
３５    送信部
【図１】
2007164677.tif 000003
【図２】
2007164677.tif 000004
【図３】
2007164677.tif 000005
【図４Ａ】
2007164677.tif 000006
【図４Ｂ】
2007164677.tif 000007
【図５】
2007164677.tif 000008
【図６】
2007164677.tif 000009
【図７Ａ】
2007164677.tif 000010
【図７Ｂ】
2007164677.tif 000011
【図８】
2007164677.tif 000012
【図９】
2007164677.tif 000013
【図１０】
2007164677.tif 000014